(57)【要約】【課題】検出部を覆うカバー部の外表面で反射した光が、開口に入射してしまう場合があること。【解決手段】シャッタユニットは、被写体からの光が通過する開口の開口面に沿って走行するシャッタ部と、前記開口および前記シャッタ部より被写体側かつ前記開口の外側に設けられ、前記シャッタ部を検出する検出部と、前記開口より被写体側において前記検出部の少なくとも一部を覆うカバー部とを備え、前記カバー部は、前記検出部の前記開口側を覆う部分の外表面である第１外表面に起伏構造を有する。【選択図】図６
2015045701.tif 000002
【特許請求の範囲】
【請求項１】
入射光が通過する開口の開口面に沿って走行するシャッタ部と、
前記開口および前記シャッタ部より前記入射光の入射側かつ前記開口の外側に設けられ、前記シャッタ部を検出する検出部と、
前記開口より前記入射側において前記検出部の少なくとも一部を覆うカバー部と
を備え、
前記カバー部は、前記検出部の前記開口側を覆う部分の外表面である第１外表面に起伏構造を有する
シャッタユニット。
【請求項２】
前記第１外表面は、前記開口面に対して傾斜した複数の面を有する
請求項１に記載のシャッタユニット。
【請求項３】
前記カバー部は、前記検出部の前記入射側を覆う部分の外表面である第２外表面を有し、
前記第１外表面は、
前記第２外表面から前記シャッタ部に向かって延伸する第１面と、
前記第１面から前記開口に向かって延伸する第２面と、
前記第２面から前記シャッタ部に向かって延伸する第３面と
を有する請求項１または２に記載のシャッタユニット。
【請求項４】
前記第１面は、前記第２面と第１境界線で接し、
前記第３面は、前記シャッタ部側において他の面と第２境界線で接し、
前記開口面に対する前記第１面の傾斜角は、前記開口面に対する前記第１境界線および前記第２境界線を含む面の傾斜角より大きい
請求項３に記載のシャッタユニット。
【請求項５】
前記開口面に対する前記第２面の傾斜角が９０°以上である
請求項３または４に記載のシャッタユニット。
【請求項６】
前記第１外表面は、
前記第１面および前記第３面を含む複数の段面と、
前記第２面を含む１以上の段差面と
を有する請求項３から５のいずれか一項に記載のシャッタユニット。
【請求項７】
前記第１外表面が有する複数の面は、前記第１外表面に入射した前記入射光の一次反射光が前記開口を通過しない向きを有する
請求項２から６のいずれか一項に記載のシャッタユニット。
【請求項８】
前記検出部は、前記シャッタ部の走行方向に直交する方向に、前記開口の縁部から離間して設けられ、
前記シャッタ部が前記開口を走行している間に、前記シャッタ部が前記検出部の位置を通過し、
前記検出部は、前記シャッタ部が前記検出部の位置を通過したことを検出する
請求項１から７のいずれか一項に記載のシャッタユニット。
【請求項９】
前記開口面に略平行な主面を有し、前記主面で光を反射する反射板
をさらに備え、
前記検出部は、
発光部と、
前記発光部から出射され前記反射板で反射した光を検出する位置に設けられた検光部と
を有し、
前記シャッタ部は、前記反射板より前記入射側に位置し、前記開口を走行している間に前記シャッタ部が前記発光部と前記反射板との間を通過して前記発光部が発した光を遮り、
前記検光部は、前記発光部が発した光が前記シャッタ部によって遮られたことを検出する
請求項８に記載のシャッタユニット。
【請求項１０】
請求項１から９のいずれか一項に記載のシャッタユニットと、
前記開口を通過した被写体からの光を受光する撮像素子と
を備える撮像装置。
【発明の詳細な説明】
【技術分野】
【０００１】
本発明は、シャッタユニットおよび撮像装置に関する。
【背景技術】
【０００２】
シャッター羽根と連結される羽根レバーと、羽根レバーの回動位置を検出するフォトセンサーとを備えるシャッター装置が知られている（例えば、特許文献１参照。）。羽根レバーには遮光壁部が設けられており、遮光壁部がフォトセンサーを遮光することにより、羽根レバーの回動位置が検出される。
［先行技術文献］
［特許文献］
［特許文献１］  特開２０１２−１１８３４５号公報
【発明の概要】
【発明が解決しようとする課題】
【０００３】
シャッタ部を検出する検出部を開口およびシャッタ部より被写体側に設けた場合、例えば検出部を覆うカバー部の外表面で反射した光が、開口に入射してしまう場合がある。
【課題を解決するための手段】
【０００４】
本発明の第１の態様においては、シャッタユニットは、被写体からの光が通過する開口の開口面に沿って走行するシャッタ部と、前記開口および前記シャッタ部より被写体側かつ前記開口の外側に設けられ、前記シャッタ部を検出する検出部と、前記開口より被写体側において前記検出部の少なくとも一部を覆うカバー部とを備え、前記カバー部は、前記検出部の前記開口側を覆う部分の外表面である第１外表面に起伏構造を有する。
【０００５】
本発明の第２の態様においては、撮像装置は、上述したシャッタユニットと、前記開口を通過した光を受光する撮像素子とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】撮像装置の一例であるカメラ１０の模式断面図である。
【図２】シャッタユニット４０と駆動部５８とを示す斜視図である。
【図３】カメラボディ３０が有する内部ボディ９０を示す正面図である。
【図４】内部ボディ９０をｘｙ平面に平行な面で切断した断面図の一例を示す。
【図５】内部ボディ９０のＡ−Ａ断面の一部を拡大した断面図を示す。
【図６】内部ボディ９０のＡ−Ａ断面の一部を拡大した断面図を示す。
【図７】露光開始前におけるシャッタ幕４８の状態を示す。
【図８】露光中におけるシャッタ幕４８の状態を示す。
【図９】露光終了後におけるシャッタ幕４８の状態を示す。
【図１０】露光終了後にシャッタ先幕３１０が遮蔽状態に戻ったときのシャッタ幕４８の状態を示す。
【図１１】カバー部２００の変形例としてのカバー部８００を模式的に示す。
【図１２】カバー部２００の変形例としてのカバー部９００を模式的に示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮像装置の一例であるカメラ１０の模式断面図である。カメラ１０は、一眼レフレックスカメラである。カメラ１０は、レンズユニット２０及びカメラボディ３０を備える。レンズユニット２０は、交換レンズである。カメラボディ３０には、レンズユニット２０が装着される。レンズユニット２０は、その鏡筒内に、光軸２２に沿って配列された光学系を備え、入射する被写体光束をカメラボディ３０の撮像ユニット５０へ導く。
【００１０】
本実施形態において、光軸２２に沿う方向をｚ軸方向と定める。すなわち、撮像ユニット５０が有する撮像素子１００へ被写体光束が入射する方向をｚ軸方向と定める。具体的には、被写体光束が入射する方向をｚ軸マイナス方向と定め、その反対方向をｚ軸プラス方向と定める。撮像素子１００の長手方向をｘ軸方向と定める。撮像素子１００の短手方向をｙ軸方向と定める。具体的には、ｘ軸方向及びｙ軸方向は、図１に図示した方向に定められる。ｘ軸、ｙ軸、ｚ軸は右手系の直交座標系である。なお、説明の都合上、ｚ軸プラス方向を上、ｚ軸マイナス方向を下とみなす場合がある。例えば、ｚ軸プラス方向を前方、前側、上方、上側等と呼ぶ場合がある。また、ｚ軸マイナス方向を後方、後側、下方、下側等と呼ぶ場合がある。ｚ軸マイナス方向の側を背面側等と呼ぶ場合がある。
【００１１】
カメラボディ３０は、レンズマウント２４に結合されるボディマウント２６よりｚ軸マイナス方向の位置に、ミラーユニット３１を有する。ミラーユニット３１は、メインミラー３２及びサブミラー３３を含む。メインミラー３２は、レンズユニット２０が射出した被写体光束の光路中に進入した進入位置と、被写体光束の光路から退避した退避位置との間で回転可能に軸支される。サブミラー３３は、メインミラー３２に対して回転可能に軸支される。サブミラー３３は、メインミラー３２とともに進入位置に進入し、メインミラー３２とともに退避位置に退避する。このように、ミラーユニット３１は、被写体光束の光路中に進入した進入状態と、被写体光束から退避した退避状態とをとる。
【００１２】
ミラーユニット３１が進入状態にある場合、メインミラー３２に入射した被写体光束の一部は、メインミラー３２に反射されてピント板８０に導かれる。ピント板８０は、撮像ユニット５０が有する撮像素子１００の撮像面と共役な位置に配されて、レンズユニット２０の光学系が形成した被写体像を可視化する。ピント板８０に形成された被写体像は、ペンタプリズム８２及びファインダ光学系８４を通じてファインダ窓８６から観察される。
【００１３】
ミラーユニット３１が進入状態にある場合、メインミラー３２に入射した被写体光束のうちメインミラー３２で反射した被写体光束以外の光束は、サブミラー３３に入射する。具体的には、メインミラー３２はハーフミラー領域を有し、メインミラー３２のハーフミラー領域を透過した被写体光束がサブミラー３３に入射する。サブミラー３３は、ハーフミラー領域から入射した光束を、結像光学系７０に向かって反射する。結像光学系７０は、入射光束を、焦点位置を検出するための焦点検出センサ７２に導く。焦点検出センサ７２は、焦点位置の検出結果をＭＰＵ５１へ出力する。
【００１４】
ピント板８０、ペンタプリズム８２、メインミラー３２、サブミラー３３、ファインダ光学系８４およびシャッタユニット４０は、支持部材としてのミラーボックス６０に支持される。ミラーボックス６０の内表面は、植毛紙で実質的に覆われている。シャッタユニット４０は、シャッタ部の一例としてのシャッタ幕４８を有する。ミラーユニット３１が退避状態にあり、シャッタ幕４８が開状態となれば、レンズユニット２０を透過する被写体光束は、撮像素子１００の撮像面に到達する。
【００１５】
撮像ユニット５０のｚ軸マイナス方向の位置には、基板６２及び表示部８８が順次配置される。表示部８８としては、例えば液晶パネル等を適用できる。表示部８８の表示面は、カメラボディ３０の背面に現れる。表示部８８は、撮像素子１００からの出力信号から生成される画像を表示する。
【００１６】
基板６２には、ＭＰＵ５１、ＡＳＩＣ５２等の電子回路が実装される。ＭＰＵ５１は、カメラ１０の全体の制御を担う。撮像素子１００からの出力信号は、フレキシブルプリント基板等を介してＡＳＩＣ５２へ出力される。ＡＳＩＣ５２は、撮像素子１００から出力された出力信号を処理する。
【００１７】
ＡＳＩＣ５２は、撮像素子１００からの出力信号に基づいて、表示用の画像データを生成する。表示部８８は、ＡＳＩＣ５２が生成した表示用の画像データに基づいて画像を表示する。ＡＳＩＣ５２は、撮像素子１００からの出力信号に基づいて、記録用の画像データを生成する。ＡＳＩＣ５２は、撮像素子１００の出力信号に対して例えば画像処理や圧縮処理を施すことで記録用の画像データを生成する。ＡＳＩＣ５２が生成した記録用の画像データは、カメラボディ３０に装着された記録媒体に記録される。記録媒体は、カメラボディ３０に着脱可能に構成されている。
【００１８】
図２は、シャッタユニット４０と駆動部５８とを示す斜視図である。シャッタユニット４０は、シャッタ本体部４５と、検出ユニット４６とを有する。
【００１９】
シャッタ本体部４５は、シャッタ幕４８を内部に有する。シャッタ幕４８は、駆動部５８によって駆動される。
【００２０】
シャッタ本体部４５は、第１シャッタ地板４１０と、第２シャッタ地板４２０と、マスクシート４３０とを有する。第１シャッタ地板４１０は、第２シャッタ地板４２０よりｚ軸プラス方向に位置する。第１シャッタ地板４１０は、第２シャッタ地板４２０よりｚ軸プラス方向に位置する。マスクシート４３０は、第１シャッタ地板４１０に設けられる。シャッタ幕４８は、第１シャッタ地板４１０、第２シャッタ地板４２０およびマスクシート４３０によって実質的に囲まれる空間内に設けられる。
【００２１】
後述するように、検出ユニット４６は、シャッタ幕４８を検出する検出部４９を有する。検出部４９は、シャッタ幕４８の検出結果を示す信号を生成する。検出部４９によって生成されたシャッタ幕４８の検出結果を示す信号は、フレキシブルプリント基板５９を介して、ＭＰＵ５１へ出力される。
【００２２】
シャッタ本体部４５は、第１開口４００および第２開口４０２を有する。第１開口４００は、第１シャッタ地板４１０によって形成される、被写体側の開口である。後に示すように、第２開口４０２は、第２シャッタ地板４２０によって形成される、撮像素子１００側の開口である。シャッタ本体部４５から見た場合、第１開口４００は被写体光束が入射する側の開口であり、第２開口４０２は被写体光束が出射する側の開口である。
【００２３】
シャッタ幕４８は、駆動部５８によって駆動されることにより、第１開口４００に沿って走行する。シャッタ幕４８の状態は、撮像素子１００に対して第１開口４００を遮蔽する遮蔽状態と、撮像素子１００に対して第１開口４００の少なくとも一部を開放する開放状態とを含む。図２は、シャッタ幕４８が開放状態にある場合を示す。シャッタ幕４８が開放状態にある場合、シャッタ幕４８は、第１開口４００を通過した被写体光束の光路から退避した状態にある。シャッタ幕４８が遮蔽状態にある場合、シャッタ幕４８は、第１開口４００を通過した被写体光束の光路中に進入した状態にある。
【００２４】
第１開口４００は、第１辺４１と、第２辺４２と、第３辺４３と、第４辺４４とで画定される。第１辺４１は、第２辺４２と略平行な辺である。第１辺４１は、第２辺４２よりｘ軸プラス方向に位置する。第３辺４３は、第４辺４４と略平行な辺である。第３辺４３は、第４辺４４よりｙ軸プラス方向に位置する。駆動部５８は、第２辺４２よりｘ軸マイナス方向に位置する。
【００２５】
検出ユニット４６は、第１開口４００より被写体側に設けられる。ｚ軸に方向において、検出ユニット４６は第１開口４００の位置よりプラス方向に位置する。
【００２６】
検出ユニット４６は、第１開口４００より外側に設けられる。具体的には、ｘ軸方向において、検出ユニット４６は、第１辺４１の位置よりプラス方向に位置する。ｙ軸方向において、検出ユニット４６は、第３辺４３の位置よりマイナス方向に位置する。ｙ軸方向において、検出ユニット４６は、第４辺４４の位置よりプラス方向に位置する。ｘｙ平面に投影した場合、検出ユニット４６は、第１辺４１よりｘ軸プラス側、かつ、第３辺４３と第４辺４４との間に位置する。検出ユニット４６は、ｙ軸方向において第３辺４３と第４辺４４との中間に位置してよい。ｘｙ平面に投影した場合、光軸２２のｙ座標は、投影面において検出ユニット４６が占める領域のｙ座標の範囲内にあってよい。
【００２７】
検出ユニット４６は、カバー部２００を有する。検出ユニット４６が有する検出部４９は、カバー部２００の内側に設けられる。
【００２８】
カバー部２００は、第１外表面２１０と、第２外表面２２０とを有する。第１外表面２１０は、第１開口４００側の外表面である。第２外表面２２０は、被写体側の外表面である。第２外表面２２０は、第１開口４００の開口面に略平行な面である。
【００２９】
カバー部２００の少なくとも一部は、ミラーボックス６０内の空間の一部を画定する。具体的には、第１外表面２１０の少なくとも一部は、ミラーボックス６０内の空間の一部を画定する。
【００３０】
第１外表面２１０は、少なくとも一部に起伏構造を有する。第１外表面２１０が有する起伏構造は、ミラーボックス６０に入射し第１外表面２１０で反射した光が第１開口４００を通過することを抑制する。
【００３１】
図３は、カメラボディ３０が有する内部ボディ９０を示す正面図である。図３は、内部ボディ９０をｚ軸プラス方向の位置からｚ軸マイナス方向に見た場合の正面図である。
【００３２】
図４は、内部ボディ９０をｘｙ平面に平行な面で切断した断面図の一例を示す。図４は、図３に示すＡ−Ａ断面の断面図である。
【００３３】
図５は、内部ボディ９０のＡ−Ａ断面の一部を拡大した断面図を示す。図５は、図４に示すＢ部を含む領域をした断面図を示す。
【００３４】
光学ユニット５５は、シャッタユニット４０のｚ軸方向マイナス側に、シャッタユニット４０に近接して設けられる。シャッタユニット４０に対向する光学ユニット５５側の部位と光学ユニット５５に対向するシャッタユニット４０側の部位との間の距離は、検出部４９のｚ軸方向の長さより長い。撮像ユニット５０は、光学ユニット５５のｚ軸方向マイナス側に、光学ユニット５５に近接して設けられる。
【００３５】
光学ユニット５５は、光学素子５５０と、振動素子５７０と、押さえ部材５８０とを含む。押さえ部材５８０は、光学素子５５０を撮像ユニット５０に押さえ付けて、撮像ユニット５０に固定する。押さえ部材５８０は、シャッタユニット４０が有する第２シャッタ地板４２０に対向して設けられる。
【００３６】
光学素子５５０は、水晶板５５１と、中間シート５５２と、赤外カット板５５３とを含む。水晶板５５１、中間シート５５２および赤外カット板５５３は、ｚ軸マイナス方向に、水晶板５５１、中間シート５５２および赤外カット板５５３の順で配置されている。
【００３７】
赤外カット板５５３は、赤外の波長域の光をカットして、可視光の波長域の光を透過させる。赤外カット板５５３は、例えば赤外の波長域の光を吸収する。中間シート５５２は、透光性を有する。中間シート５５２は、水晶板５５１および赤外カット板５５３に接して設けられ、水晶板５５１と赤外カット板５５３との間の干渉を抑制する。
【００３８】
水晶板５５１には、振動素子５７０が設けられる。振動素子は、ＰＺＴ素子等の圧電素子であってよい。振動素子５７０が水晶板５５１を振動させることで、水晶板５５１の被写体側の表面に付着している塵埃が減少され得る。
【００３９】
撮像ユニット５０は、カバーガラス１６０と、撮像素子１００を実装する第１基板１２０と、第１基板１２０に固定されている第２基板１３０とを含む。撮像素子１００は、ＣＭＯＳイメージセンサやＣＣＤイメージセンサ等の固体撮像素子である。第１基板１２０は、撮像素子１００を環囲する環囲部１４０を有する。カバーガラス１６０は、環囲部１４０のｚ軸プラス側の開口に設けられる。撮像素子１００は、第１基板１２０およびカバーガラス１６０によって形成された密封空間内に設けられる。第２基板１３０は、ミラーボックス６０に直接または間接的に締結される。
【００４０】
シャッタ幕４８が開放状態にある場合、第１開口４００を通過した光は、第２開口４０２を通過して撮像素子１００に向かう。第１開口４００を通過した光は、光学素子５５０、カバーガラス１６０を通過して撮像素子１００に入射する。撮像素子１００は、第１開口４００を通過した光を受光して、受光した光に基づいて画素信号を生成する。撮像素子１００は、生成した画素信号を出力信号として出力する。
【００４１】
図６は、内部ボディ９０のＡ−Ａ断面の一部を拡大した断面図を示す。図６は、図５に示すＣ部を含む領域を拡大した断面図を示す。
【００４２】
シャッタ幕４８は、シャッタ先幕３１０と、シャッタ後幕３２０と、中間板３３０とを有する。ｚ軸方向において、中間板３３０は、シャッタ先幕３１０と、シャッタ後幕３２０との間に設けられる。中間板３３０は、第１開口４００の開口面と略平行な開口面を持つ開口３３１を有する。シャッタ幕４８が開放状態にある場合、第１開口４００を通過した光は、開口３３１、第２開口４０２を順に通過して、撮像素子１００へ向かう。
【００４３】
シャッタ先幕３１０は、複数のシャッタ羽根を有する。具体的には、シャッタ先幕３１０は、第１先幕羽根３１１、第２先幕羽根３１２および第３先幕羽根３１３を有する。第１先幕羽根３１１、第２先幕羽根３１２および第３先幕羽根３１３は、駆動部５８によって駆動されて、第１開口４００に沿って走行する。
【００４４】
シャッタ後幕３２０は、複数のシャッタ羽根を有する。具体的には、シャッタ後幕３２０は、第１後幕羽根３２１、第２後幕羽根３２２および第３後幕羽根３２３を有する。第１後幕羽根３２１、第２後幕羽根３２２および第３後幕羽根３２３は、駆動部５８によって駆動されて、第１開口４００に沿って走行する。
【００４５】
シャッタ先幕３１０は、駆動部５８によって駆動されることにより、第１開口４００に沿って走行する。シャッタ先幕３１０の状態は、撮像素子１００に対して第１開口４００を遮蔽する遮蔽状態と、撮像素子１００に対して第１開口４００の少なくとも一部を開放する開放状態とを含む。図６は、シャッタ先幕３１０が開放状態にある場合を示す。
【００４６】
シャッタ後幕３２０は、駆動部５８によって駆動されることにより、第１開口４００に沿って走行する。シャッタ後幕３２０の状態は、シャッタ先幕３１０が開放状態にある場合に撮像素子１００に対して第１開口４００を遮蔽する遮蔽状態と、シャッタ先幕３１０が開放状態にある場合に撮像素子１００に対して第１開口４００の少なくとも一部を開放する開放状態とを含む。図６は、シャッタ後幕３２０が遮蔽状態にある場合を示す。
【００４７】
シャッタ幕４８は、シャッタ先幕３１０が開放状態にあり、かつ、シャッタ後幕３２０が開放状態にある場合に、開放状態となる。シャッタ幕４８は、シャッタ先幕３１０およびシャッタ後幕３２０の少なくとも一方が遮蔽状態にある場合に、遮蔽状態となる。したがって、図６は、シャッタ幕４８が遮蔽状態にある場合を示す。
【００４８】
検出部４９が有するカバー部２００は、第１カバー部２０１と第２カバー部２０２とを有する。第１カバー部２０１は、検出部４９の第１開口４００側を覆う。第１カバー部２０１は、検出部４９のｘ軸プラス側を覆う。第２カバー部２０２は、検出部４９の被写体側を覆う。第２カバー部２０２は、検出部４９のｚ軸プラス側を覆う。
【００４９】
第２外表面２２０は、カバー部２００の外表面の一部を提供する。第２外表面２２０は、第２カバー部２０２の外表面を提供する。第２外表面２２０は、ｚ軸に略直交する平面である。ここでは、第２外表面２２０はｘｙ平面に平行であり、ｘｙ平面に対する傾斜角が０°であるとする。本実施形態において、傾斜角は、ｘｙ平面に対する傾斜角で表す。本実施形態において、ｘｙ平面を傾斜角０°とする。ある特定面の傾斜角は、紙面時計回りの角度を正として表す。例えば、ｙｚ平面は、傾斜角９０°の面である。一般には、特定面の傾斜角は、特定面に平行になるまでｘｙ平面を紙面時計回りに回転させた場合の回転角度で表す。傾斜角は、０°以上１８０°未満の範囲で表す。
【００５０】
第１外表面２１０は、カバー部２００の外表面の一部を提供する。第１外表面２１０は、第１カバー部２０１の外表面を提供する。第１外表面２１０は、第２外表面２２０に続き、第１開口４００に向かう面である。
【００５１】
第１外表面２１０は、第１面２１１と、第２面２１２と、第３面２１３と、第４面２１４と、第５面２１５と、第６面２１６と、第７面２１７と、第８面２１８と、第９面２１９とを有する。第１面２１１、第２面２１２、第３面２１３、第４面２１４、第５面２１５、第６面２１６、第７面２１７、第８面２１８および第９面２１９は、いずれもｘｚ平面に略直交する平面であるとする。傾斜角に係る説明の都合上、ここでは、第１面２１１、第２面２１２、第３面２１３、第４面２１４、第５面２１５、第６面２１６、第７面２１７、第８面２１８および第９面２１９は、いずれもｘｚ平面に直交する平面であるとする。また、第１開口４００の開口面はｘｙ平面に平行であるとする。したがって、傾斜角は、第１開口４００の開口面に対する傾斜角を表す。
【００５２】
第１面２１１は、第２外表面２２０に続く面である。第１面２１１は、第２外表面２２０から第２面２１２まで延伸する面である。
【００５３】
第１面２１１は、ｘｙ平面に対して傾斜している。第１面２１１は、第２外表面２２０からシャッタ幕４８に向かって延伸する。なお、本実施形態において、シャッタ幕４８に向かって延伸するとは、延伸元の端部より延伸側の端部がシャッタ幕４８に近いことを意味する。すなわち、シャッタ幕４８に向かって延伸するとは、ｙｚ平面に平行であることを必ずしも要しない。シャッタ幕４８に向かって延伸するとは、ｙｚ平面に平行であってよいし、ｙｚ平面に平行でなくてもよい。
【００５４】
第１面２１１と第２面２１２との境界線は、第１面２１１と第２外表面２２０との境界線より、シャッタ幕４８に近い。第１面２１１と第２面２１２との境界線は、第１面２１１と第２外表面２２０との境界線より、光軸に近い。第１面２１１の傾斜角は、０°より大きく９０°未満の範囲内にある。
【００５５】
第２面２１２は、第１面２１１に続く面である。第２面２１２は、第１面２１１から第３面２１３まで延伸する面である。
【００５６】
第２面２１２は、第１面２１１から第１開口４００に向かって延伸する。なお、本実施形態において、第１開口４００に向かって延伸するとは、ｘ軸方向にみた場合に延伸元の端部より延伸側の端部が第１開口４００に近いことを意味する。したがって、第１開口４００に向かって延伸するとは、延伸元の端部より延伸側の端部が光軸２２に近いことを意味する。つまり、第１開口４００に向かって延伸するとは、ｘｙ平面に平行であることを必ずしも要しない。第１開口４００に向かって延伸するとは、ｘｙ平面に平行であってよいし、ｘｙ平面に平行でなくてもよい。
【００５７】
本実施形態において、第２面２１２と第３面２１３との境界線は、第２面２１２と第１面２１１との境界線より、光軸２２に近い。第２面２１２と第１面２１１とがなす角の内角は、鋭角である。第２面２１２の傾斜角は、９０°より大きいことが好ましい。
【００５８】
第３面２１３は、第２面２１２に続く面である。第３面２１３は、第２面２１２から第４面２１４まで延伸する面である。
【００５９】
第３面２１３は、第２面２１２からシャッタ幕４８に向かって延伸する。第３面２１３と第４面２１４との境界線は、第３面２１３と第２面２１２との境界線より、シャッタ幕４８に近い。第３面２１３の傾斜角は、０°より大きく９０°未満の範囲内にある。第３面２１３と第４面２１４との境界線は、第３面２１３と第２面２１２との境界線より、光軸２２に近い。具体的には、第３面２１３は、第１面２１１に略平行である。
【００６０】
第４面２１４は、第３面２１３に続く面である。第４面２１４は、第３面２１３から第５面２１５まで延伸する面である。
【００６１】
第４面２１４は、第３面２１３から第１開口４００に向かって延伸する。第４面２１４と第５面２１５との境界線は、第４面２１４と第３面２１３との境界線より、光軸２２に近い。第２面２１２と第１面２１１との内角は鋭角である。具体的には、第４面２１４は、第２面２１２に略平行である。
【００６２】
第５面２１５は、第４面２１４に続く面である。第５面２１５は、第４面２１４から第６面２１６まで延伸する面である。
【００６３】
第５面２１５は、第４面２１４からシャッタ幕４８に向かって延伸する。第５面２１５と第６面２１６との境界線は、第５面２１５と第４面２１４との境界線より、シャッタ幕４８に近い。第５面２１５の傾斜角は、０°より大きく９０°未満の範囲内にある。第５面２１５と第６面２１６との境界線は、第５面２１５と第４面２１４との境界線より、光軸２２に近い。具体的には、第５面２１５は、第１面２１１および第３面２１３に略平行である。
【００６４】
第６面２１６は、第５面２１５に続く面である。第６面２１６は、第５面２１５から第７面２１７まで延伸する面である。第６面２１６は、第２面２１２および第４面２１４に略平行である。
【００６５】
第７面２１７は、第６面２１６に続く面である。第７面２１７は、第６面２１６から第８面２１８まで延伸する面である。第７面２１７は、第１面２１１、第３面２１３および第５面２１５に略平行である。
【００６６】
第８面２１８は、第７面２１７に続く面である。第８面２１８は、第７面２１７から第９面２１９まで延伸する面である。第８面２１８は、第２面２１２、第４面２１４および第６面２１６に略平行である。
【００６７】
第９面２１９は、第８面２１８に続く面である。第９面２１９は、第８面２１８から、第１シャッタ地板４１０において第１開口４００を画定する面まで延伸する面である。第９面２１９は、第１面２１１、第３面２１３、第５面２１５および第７面２１７に略平行である。
【００６８】
ここで、第１面２１１と第２面２１２との境界線および第２面２１２と第３面２１３との境界線を含む面６００を考える。第１面２１１の傾斜角は、面６００の傾斜角より大きい。仮に、第１カバー部２０１の外表面を面６００とした場合、ミラーボックス６０に入射して面６００に向かう光の一次反射光は、第１開口４００に向かう。
【００６９】
例えば、図４から図６等に示されるように、光線６１０が面６００に入射した場合、その一次反射光は第１開口４００を通過して撮像素子１００に入射する。同様に、光線６２０が面６００に入射した場合、その一次反射光は第１開口４００を通過して撮像素子１００に入射する。また、光線６３０が面６００に入射した場合、その一次反射光は第１開口４００を通過して撮像素子１００に入射する。
【００７０】
しかし、光線６１０が第１面２１１に入射した場合、その一次反射光は第１開口４００を通過しない。また、光線６２０が第３面２１３に入射した場合、その一次反射光は第１開口４００を通過しない。また、光線６３０が第７面２１７に入射した場合、その一次反射光は第１開口４００を通過しない。
【００７１】
このように、ミラーボックス６０に入射して第１外表面２１０に向かう光のうち、第１面２１１に入射した光の一次反射光の大部分は、第１開口４００を通過しない。同様に、第３面２１３、第５面２１５、第７面２１７および第９面２１９のそれぞれの傾斜角は、面６００の傾斜角より大きい。そのため、ミラーボックス６０に入射して第１外表面２１０に向かう光のうち、第３面２１３、第５面２１５および第７面２１７のいずれかの面に入射した光の一次反射光の大部分は、第１開口４００を通過しない。
【００７２】
したがって、第１面２１１、第３面２１３、第５面２１５および第７面２１７のそれぞれの面に入射した光の一次反射光の大部分は、第１開口４００に直接に入射しない。少なくとも、第１面２１１、第３面２１３、第５面２１５および第７面２１７のいずれかの面への入射光のうち反射光が第１開口４００に向かう光の割合は、面６００への入射光のうち反射光が第１開口４００に向かう光の割合より小さい。また、第２面２１２、第４面２１４、第６面２１６および第８面２１８のそれぞれの面に入射した光の一次反射光は、第１開口４００に直接に入射しない。
【００７３】
したがって、第１外表面２１０に入射した光の一次反射光の大部分は、第１開口４００に直接に入射しない。少なくとも、第１外表面２１０への入射光のうち反射光が第１開口４００に向かう光の割合は、面６００への入射光のうち反射光が第１開口４００に向かう光の割合より小さい。そのため、カバー部２００によれば、第１カバー部２０１の外表面を面６００とした場合と比べて、第１開口４００側の外表面で反射した反射光の単位面積あたりの光強度を低減することができる。
【００７４】
以上に説明したように、第１外表面２１０は段形状を有する。例えば、第１外表面２１０は、第１面２１１、第３面２１３、第５面２１５および第７面２１７を段面として有し、第２面２１２、第４面２１４、第６面２１６および第８面２１８を段差面として有する。そのため、第１外表面２１０で反射した光が第１開口４００を通過することを抑制できる。例えば、第１外表面２１０が段形状を有しない場合と比べて、第１開口４００側の外表面で反射した反射光の単位面積あたりの光強度を低減することができる。そのため、撮像素子１００で得られる画像に生じるゴーストを抑制できる。
【００７５】
なお、第１外表面２１０はシボ面を有する。そのため、第１開口４００側の外表面で反射した反射光の単位面積あたりの光強度を更に低減することができる。なお、カバー部２００は、樹脂組成物を射出成形することによって得られる。
【００７６】
シャッタ幕４８の検出に関する構成について説明する。検出部４９は、フォトインタラプタである。具体的には、検出部４９は、反射型フォトインタラプタ（フォトリフレクタ）である。
【００７７】
中間板３３０は、開口３３３を有する。第２シャッタ地板４２０の内面には、開口３３３のｚ軸マイナス方向の位置に、反射板３５０が設けられている。検出部４９は、光を発する発光部と、光を検出する検光部を有する。検出部４９の発光部で発生した光は、検出部４９から主としてｚ軸マイナス方向に出射される。検出部４９から出射された光は、マスクシート４３０で絞られて、実質的にｚ軸に沿う方向の光束としてシャッタ本体部４５内に出射される。簡単のため、マスクシート４３０で絞られてシャッタ本体部４５に入射した光を、単に検出光と呼ぶ場合がある。
【００７８】
シャッタ先幕３１０およびシャッタ後幕３２０がともに開放状態にある場合、検出光は開口３３３を通過して反射板３５０に入射する。検出部４９から出射され反射板３５０に入射した光は、反射板３５０で反射して、開口３３３を通過して、検出部４９が有する検光部に入射する。
【００７９】
図６に示されるように、シャッタ後幕３２０が遮蔽状態にある場合、検出光はシャッタ後幕３２０が有する第２後幕羽根３２２によって遮られ、反射板３５０に到達しない。したがって、検出部４９の検光部の受光量は、シャッタ先幕３１０およびシャッタ後幕３２０がともに開放状態にある場合より小さくなる。
【００８０】
検出部４９の検光部の受光量を示す信号は、フレキシブルプリント基板５９を介してＭＰＵ５１に出力される。ＭＰＵ５１は、検出部４９から取得した信号が示す受光量に基づいて、シャッタ幕４８の状態を検出する。
【００８１】
ＭＰＵ５１は、検出部４９で検出された受光量に基づいて、シャッタ幕４８の状態を検出する。具体的には、ＭＰＵ５１は、検出部４９から取得した信号が示す受光量に基づいて、シャッタ先幕３１０およびシャッタ後幕３２０の少なくとも一方の少なくとも一部の羽根を検出する。より具体的には、ＭＰＵ５１は、検出部４９から取得した信号が示す受光量に基づいて、シャッタ先幕３１０およびシャッタ後幕３２０の少なくとも一方の少なくとも一つの羽根によって、検出光の光路が遮られたことを検出する。例えば、ＭＰＵ５１は、検出部４９から取得した信号が示す受光量が予め定められた値より小さい場合に、シャッタ先幕３１０およびシャッタ後幕３２０の少なくとも一方の少なくとも一つの羽根によって、検出光の光路が遮られたと判断する。
【００８２】
図７は、露光開始前におけるシャッタ幕４８の状態を示す。図７は、ｚ軸マイナス方向の位置からｚ軸プラス方向にシャッタ幕４８を見た場合の後面図である。図７は、シャッタ先幕３１０が遮蔽状態にあり、シャッタ後幕３２０が開放状態にある場合の後面図である。図７は、例えば撮影待機時におけるシャッタ幕４８の状態を示す。
【００８３】
なお、図７では、主としてシャッタ幕４８の状態の状態を示すことを目的として、少なくとも第２シャッタ地板４２０は図示されていない。しかし、反射板３５０の位置を説明することを目的として、反射板３５０は図示されている。
【００８４】
シャッタ幕４８が図７に示す状態にある場合、検出光は第２先幕羽根３１２によって遮られて反射板３５０まで到達しない。そのため、検出部４９の検光部による受光量は、シャッタ先幕３１０およびシャッタ後幕３２０がともに開放状態にある場合の受光量より小さい。ＭＰＵ５１は、検出部４９から取得した信号が示す受光量に基づき、シャッタ幕４８が遮蔽状態にあると判断する。
【００８５】
図７に示すシャッタ幕４８の状態は、例えば撮影開始前に生じる。ＭＰＵ５１は、レリーズボタンが押し込まれたことを検出すると、ミラーユニット３１を退避位置に移動させた後、シャッタ先幕３１０の駆動を開始する。シャッタ先幕３１０が走行を始めた後、第１開口４００および開口３３１を通過した少なくとも一部の被写体光がシャッタ先幕３１０によって遮られなくなったタイミングで、撮像素子１００の露光が開始されたことになる。
【００８６】
図８は、露光中におけるシャッタ幕４８の状態を示す。図８は、ｚ軸マイナス方向の位置からｚ軸プラス方向にシャッタ幕４８を見た場合の後面図である。図８は、撮像素子１００の露光期間中における、シャッタ先幕３１０およびシャッタ後幕３２０がいずれも開放状態にある場合の後面図である。すなわち、シャッタ幕４８が開放状態にある場合の後面図である。
【００８７】
なお、図８では、主としてシャッタ幕４８の状態を示すことを目的として、少なくとも第２シャッタ地板４２０は図示されていない。しかし、反射板３５０の位置を説明することを目的として、図８には反射板３５０が図示されている。なお、図８では、主としてシャッタ幕４８の状態を示すことを目的として、中間板３３０の一部を省略して示す。
【００８８】
検出光は、シャッタ先幕３１０およびシャッタ後幕３２０のいずれによっても遮られず、反射板３５０に到達して反射板３５０で反射され、検出部４９の検光部に入射する。ＭＰＵ５１は、検出部４９の検光部の受光量に基づき、シャッタ幕４８が開放状態にあると判断する。
【００８９】
ここで、シャッタ幕４８が図７の状態から図８の状態に遷移するまでの間に、検出光が第２先幕羽根３１２で遮光された状態から検出光が第２先幕羽根３１２で遮光されない状態に遷移するタイミングが存在する。そのタイミングにおいて、検出部４９の検光部の受光量が増加する。ＭＰＵ５１は、シャッタ先幕３１０を駆動し始めた後に、検出部４９から取得した信号が示す受光量が予め定められた値以上増加したことに応じて、第２先幕羽根３１２のｙ軸プラス方向の端部が検出光の位置を通過したと判断する。
【００９０】
図９は、露光終了後におけるシャッタ幕４８の状態を示す。図９は、ｚ軸マイナス方向の位置からｚ軸プラス方向にシャッタ幕４８を見た場合の後面図である。図９は、シャッタ先幕３１０が開放状態にあり、シャッタ後幕３２０が遮蔽状態にある場合の後面図である。
【００９１】
なお、図９では、主としてシャッタ幕４８の状態を示すことを目的として、少なくとも第２シャッタ地板４２０は図示されていない。しかし、反射板３５０の位置を説明することを目的として、図１０には反射板３５０が図示されている。
【００９２】
検出光は、第２後幕羽根３２２によって遮られて反射板３５０に到達しない。ＭＰＵ５１は、検出部４９の検光部の入射量に基づき、シャッタ幕４８が遮蔽状態にあると判断する。
【００９３】
ここで、シャッタ幕４８が図８の状態から図９の状態に遷移するまでの間に、検出光がシャッタ先幕３１０およびシャッタ後幕３２０のいずれによっても遮光されていない状態から、検出光が第２後幕羽根３２２で遮光された状態に遷移するタイミングが存在する。そのタイミングにおいて、検出部４９の検光部が受光する受光量が低下する。ＭＰＵ５１は、シャッタ後幕３２０を駆動し始めた後に、検出部４９から取得した信号が示す受光量が予め定められた値以上低下したことに応じて、第２後幕羽根３２２のｙ軸マイナス方向の端部が検出光の位置を通過したと判断する。なお、撮像素子１００への入射する被写体光がシャッタ後幕３２０によって遮られた場合に、撮像素子１００の露光が終了したことになる。
【００９４】
図１０は、露光終了後にシャッタ先幕３１０が遮蔽状態に戻ったときのシャッタ幕４８の状態を示す。図１０は、ｚ軸マイナス方向の位置からｚ軸プラス方向にシャッタ幕４８を見た場合の後面図である。図１０は、シャッタ先幕３１０が遮蔽状態にあり、シャッタ後幕３２０が遮蔽状態にある場合の後面図である。
【００９５】
なお、図１０では、主としてシャッタ幕４８の状態を示すことを目的として、少なくとも第２シャッタ地板４２０は図示されていない。しかし、反射板３５０の位置を説明することを目的として、反射板３５０が図示されている。
【００９６】
図９に示したシャッタ幕４８の状態と同様、検出光は、第２後幕羽根３２２によって遮られて反射板３５０に到達しない。ＭＰＵ５１は、検出部４９の検光部の入射量に基づき、シャッタ幕４８が遮蔽状態にあると判断する。
【００９７】
なお、図１０に示す状態の後に、シャッタ幕４８は図７に示す状態に戻る。具体的には、シャッタ後幕３２０がｙ軸プラス方向に走行して、シャッタ後幕３２０が開放状態になる。これにより、シャッタ幕４８は、例えば撮影待機時の状態に戻る。
【００９８】
図１１は、カバー部２００の変形例としてのカバー部８００を模式的に示す。カバー部８００は、第１カバー部８０１と第２カバー部８０２とを有する。第１カバー部８０１は、カバー部２００の第１カバー部２０１に対応し、検出部４９の第１開口４００側を覆う。第２カバー部８０２は、カバー部２００の第２カバー部２０２に対応し、検出部４９のｘ軸プラス側を覆う。第２カバー部８０２は、検出部４９の被写体側を覆う。カバー部８００は、第１外表面８１０と、第２外表面８２０とを有する。第１外表面８１０は、第１開口４００側の外表面である。第２外表面８２０は、被写体側の外表面である。第２外表面８２０は、第１開口４００の開口面に略平行な面である。
【００９９】
カバー部８００は、第１外表面８１０の起伏形状がカバー部２００の第１外表面２１０の起伏形状と異なる点を除いて、カバー部２００と同様の構成を有する。そのため、カバー部８００については主としてカバー部２００との相違点を主として説明する。
【０１００】
第１外表面８１０は、第１面２１１に対応する第１面８１１と、第２面２１２に対応する第２面８１２と、第３面２１３に対応する第３面８１３と、第４面２１４に対応する第４面８１４と、第５面２１５に対応する第５面８１５と、第６面２１６に対応する第６面８１６と、第７面２１７に対応する第７面８１７と、第８面２１８に対応する第８面８１８と、第９面２１９に対応する第９面８１９とを有する。
【０１０１】
第１面８１１、第３面８１３、第５面８１５、第７面８１７および第９面８１９は、ｙｚ平面に略平行な平面である。第２面８１２、第４面８１４、第６面８１６および第８面８１８は、ｘｙ平面に略平行な平面である。このように、第１外表面８１０は、いわゆる階段形状を有する。カバー部８００によっても、第１開口４００側の外表面で反射した反射光の単位面積あたりの光強度を低減することができる。
【０１０２】
図１２は、カバー部２００の変形例としてのカバー部９００を模式的に示す。カバー部９００は、第１カバー部９０１と第２カバー部９０２とを有する。第１カバー部９０１は、カバー部２００の第１カバー部２０１に対応し、検出部４９の第１開口４００側を覆う。第２カバー部９０２は、カバー部２００の第２カバー部２０２に対応し、検出部４９のｘ軸プラス側を覆う。第２カバー部９０２は、検出部４９の被写体側を覆う。カバー部９００は、第１外表面９１０と、第２外表面９２０とを有する。第１外表面９１０は、第１開口４００側の外表面である。第２外表面９２０は、被写体側の外表面である。第２外表面９２０は、第１開口４００の開口面に略平行な面である。
【０１０３】
カバー部９００は、第１外表面９１０の起伏形状がカバー部２００の第１外表面２１０の起伏形状と異なる点を除いて、カバー部２００と同様の構成を有する。そのため、カバー部８００については主としてカバー部２００との相違点を主として説明する。
【０１０４】
第１外表面９１０は、第１面２１１に対応する第１面９１１と、第２面２１２に対応する第２面９１２と、第３面２１３に対応する第３面９１３と、第４面２１４に対応する第４面９１４と、第５面２１５に対応する第５面９１５と、第６面２１６に対応する第６面９１６と、第７面２１７に対応する第７面９１７と、第８面２１８に対応する第８面９１８と、第９面２１９に対応する第９面９１９とを有する。
【０１０５】
第１面９１１、第３面９１３、第５面９１５、第７面９１７および第９面９１９の傾斜角は、９０°より大きい。第２面９１２、第４面９１４、第６面９１６および第８面９１８は、ｘｙ平面に略平行な平面である。カバー部９００によっても、第１開口４００側の外表面で反射した反射光の単位面積あたりの光強度を低減することができる。
【０１０６】
カバー部２００、カバー部８００およびカバー部９００に関連して説明したように、検出ユニット４６が有するカバー部の第１開口４００側の外表面が、傾斜角が異なる複数の面で形成される起伏形状を有するので、第１開口４００側の外表面で反射した反射光の単位面積あたりの光強度を低減することができる。
【０１０７】
以上に説明したカバー部２００、カバー部８００およびカバー部９００においては、第１開口４００側の外表面が、ｙ軸方向に平行な頂部を形成する、ｙ軸方向に沿う複数の平面を有する。検出ユニット４６が有するカバー部の変形例として、第１開口４００側の外表面がｘ軸方向に平行な頂部を形成する、ｘ軸方向に沿う複数の平面を有してよい。検出ユニット４６が有するカバー部の更なる変形例として、第１開口４００側の外表面は、ｙ軸方向に沿う複数の平面およびｘ軸方向に沿う複数の平面を有してもよい。
【０１０８】
検出部４９によると、シャッタ先幕３１０およびシャッタ後幕３２０を直接に検出することができるので、シャッタ幕４８の位置の検出精度を高めることができる。そのため、撮像素子１００の露光時間をより正確に制御することができる。例えば、検出部４９がシャッタ先幕３１０を直接に検出するので、露光開始タイミングを正確に検出できる。そのため、シャッタ先幕３１０の走行を開始させたタイミングからシャッタ後幕３２０の走行を開始させるまでの期間を、設定した露光時間に基づいて適切に調節することができる。
【０１０９】
また、カバー部２００によれば、第１外表面２１０における一次反射光が撮像素子１００に入射することを抑制できるので、検出部４９を第１開口４００の近傍に設けることができる。そのため、例えば第２先幕羽根３１２および第２後幕羽根３２２のｘ軸方向の長さを、検出部４９の位置を遮光できる程度の長さにすればよい。したがって、例えば第２先幕羽根３１２および第２後幕羽根３２２をｘ方向に長くする必要がない。したがって、シャッタ幕４８を小型化することができる。
【０１１０】
カバー部２００、カバー部８００およびカバー部９００等に関連して説明したように検出ユニット４６のカバー部の外表面に起伏形状を形成することに代えて、カバー部の外表面に形成されたシボ面によって、外表面で反射した反射光の単位面積あたりの光強度を低減してもよい。この場合、カバー部を２色成形によって、シボ面を形成し易い材料でカバー部の外表面側を形成してよい。また、カバー部２００、カバー部８００およびカバー部９００等に関連して説明したように検出ユニット４６のカバー部の外表面に起伏形状を形成することに代えて、カバー部の外表面を植毛紙で覆ってもよい。
【０１１１】
レンズユニット２０及びカメラボディ３０を含むカメラ１０を、撮像装置の一例として取り上げて説明した。しかし、撮像装置は、レンズユニット２０を含まなくてよい。例えば、カメラボディ３０は撮像装置の一例である。また、撮像装置とは、一眼レフレックスカメラ等のレンズ交換式の撮像装置の他に、レンズ非交換式の撮像装置を含む概念である。また、シャッタユニット４０と同様の構成は、撮像装置に限らず、種々の電子機器が備えるシャッタユニットに適用できる。
【０１１２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【０１１３】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【０１１４】
１０  カメラ、２０  レンズユニット、２２  光軸、２４  レンズマウント、２６  ボディマウント、３０  カメラボディ、３１  ミラーユニット、３２  メインミラー、３３  サブミラー、４０  シャッタユニット
４１  第１辺、４２  第２辺、４３  第３辺、４４  第４辺
４５  シャッタ本体部、４６  検出ユニット、４８  シャッタ幕、４９  検出部
５０  撮像ユニット、５１  ＭＰＵ、５２  ＡＳＩＣ
５５  光学ユニット
５８  駆動部
５９  フレキシブルプリント基板、６０  ミラーボックス、６２  基板、７０  結像光学系、７２  焦点検出センサ、８０  ピント板、８２  ペンタプリズム、８４  ファインダ光学系、８６  ファインダ窓、８８  表示部、９０  内部ボディ、１００  撮像素子
１２０  第１基板、１３０  第２基板、１４０  環囲部、１６０  カバーガラス
２００  カバー部
２０１  第１カバー部、２０２  第２カバー部
２１０  第１外表面
２１１  第１面、２１２  第２面、２１３  第３面、２１４  第４面、２１５  第５面、２１６  第６面、２１７  第７面、２１８  第８面、２１９  第９面
２２０  第２外表面
３１０  シャッタ先幕
３１１  第１先幕羽根、３１２  第２先幕羽根、３１３  第３先幕羽根
３２０  シャッタ後幕
３２１  第１後幕羽根、３２２  第２後幕羽根、３２３  第３後幕羽根
３３０  中間板
３３１  開口
３３３  開口
３５０  反射板
４００  第１開口
４０２  第２開口
４１０  第１シャッタ地板、４２０  第２シャッタ地板
４３０  マスクシート
５５０  光学素子、５５１  水晶板、５５２  中間シート、５５３  赤外カット板、５７０  振動素子、５８０  押さえ部材
６００  面
６１０  光線、６２０  光線、６３０  光線
８００、９００  カバー部
８０１  第１カバー部、８０２  第２カバー部
８１０  第１外表面
８１１  第１面、８１２  第２面、８１３  第３面、８１４  第４面、８１５  第５面、８１６  第６面、８１７  第７面、８１８  第８面、８１９  第９面
８２０  第２外表面
９００  カバー部
９０１  第１カバー部、９０２  第２カバー部
９１０  第１外表面
９１１  第１面、９１２  第２面、９１３  第３面、９１４  第４面、９１５  第５面、９１６  第６面、９１７  第７面、９１８  第８面、９１９  第９面
９２０  第２外表面
【図１】
2015045701.tif 000003
【図３】
2015045701.tif 000004
【図４】
2015045701.tif 000005
【図５】
2015045701.tif 000006
【図６】
2015045701.tif 000007
【図７】
2015045701.tif 000008
【図８】
2015045701.tif 000009
【図９】
2015045701.tif 000010
【図１０】
2015045701.tif 000011
【図１１】
2015045701.tif 000012
【図１２】
2015045701.tif 000013
【図２】
2015045701.tif 000014